(57)【特許請求の範囲】
【請求項１】
一方の被締結体に設けられた係止部と、
他方の被締結体に設けられた支軸と、
前記支軸を中心に、前記係止部とは反対側のエリアで回動自在に、一端側において前記支軸に取りつけられた回動アームと、
一端側に前記係止部に係止可能なフック部を備え、他端側が前記支軸方向に延びるフックアームと、
一端側が該フックアームの他端側に第１のピンにより回動自在に軸着され、他端側が前記回動アームの他端側に第２のピンにより回動自在に軸着されたロックアームと、
該ロックアームのストッパと、
前記回動アームに設けられたレバー部と、
前記一方の被締結体もしくは他方の被締結体に設けられ、前記フックアームの移動をガイドするガイド部とを具備し、
前記レバー部を操作して、前記回動アームを前記第２のピンが前記係止部と離れる方向に回動させた際、前記フックアームが前記ロックアームを介して前記ガイド部にガイドされて移動することにより移動中途で前記フック部が自動的に前記係止部に係止して前記係止部と支軸間の締め付けが開始され、さらに前記第２のピンが前記係止部と支軸とを結ぶ延長線上の係止部とは最大距離となる最大締め付け位置を若干越えた位置で前記ロックアームが前記ストッパに当接することにより、前記係止部と支軸間が締め付けられた状態が維持されたまま前記ロックアームの戻りがロックされ、
前記レバー部を前記と逆方向に操作して、前記第２のピンが前記最大締め付け位置を越えて前記係止部に接近する方向の初期方向に回動された際、前記フックアームが前記ロックアームを介して前記ガイド部にガイドされて移動することにより自動的に前記フック部が前記係止部から外れることを特徴とする締結機構。
【請求項２】
前記ガイド部がローラーであることを特徴とする請求項１記載の締結機構。
【請求項３】
前記フックアームの中途部が、前記ガイド部に当接する、フックアームの長さ方向に曲折するカム面に形成され、該フックアームが移動する際、前記カム面に規制されて前記フック部が前記係止部に対して接離するように回動させて係止部に係脱することを特徴とする請求項１または２記載の締結機構。
【請求項４】
前記一方および他方の被締結体が、両開き式の扉の一方および他方であり、前記係止部先端部に膨大部が形成されて、締め付け時、前記フック部が該膨大部に規制されることにより扉が開くのを防止することを特徴とする請求項１、２または３記載の締結機構。
【発明の詳細な説明】
【０００１】
【発明の属する技術分野】
本発明は締結機構に関し、特に両開き式の扉の締結に用いて好適な締結機構に関する。
【０００２】
【従来の技術】
図３は、脱着式のコンテナ１０の背面図を示す。
このコンテナ１０は、上面が開放されていて、工場等の適所に配置され、ごみ等の廃棄物が捨てられ、満杯になったら、トラックの荷台に乗せられ、ごみ焼却場に搬入され、廃棄物を処分するように用いられる。
コンテナ１０の背面側は両開き式（観音開き）の扉１１ａ、１１ｂとなっており、扉１１ａ、１１ｂは軸１２ａ、１２ｂにより各々回転する。
１３は断面コの字状の固定具であって、一方の扉１１ｂ上縁に回動自在に取りつけられ、両扉１１ａ、１１ｂの上縁に跨るようにして、両上縁を挟み込み、扉１１ａ、１１ｂが開かないようになされる。
また１４、１４は、いわゆるエビロック式の締結具であって、図４に示すように、ピン１５にフック１６を掛け、レバー１７を倒すことによって、スプリング１８の反発力によって、両扉１１ａ、１１ｂを締め付け、扉１１ａ、１１ｂが開かないようにしている。１９はドアハンドルである。
【０００３】
【発明が解決しようとする課題】
上記の扉締結方式には次のような課題がある。
すなわち、固定具１３は、運搬時の振動等によって、外れやすく、当然これのみでは完全に扉１１ａ、１１ｂが開いてしまうのを防止できない。
また、エビロック方式の締結具１４は、スプリング１８の反発力による締め付け力のみであるから、そもそも締め付け力がそれ程大きなものではなく、また次第にスプリング１８がへたってくるので、締め付け力が不充分となり、廃棄物側からの圧力によって扉１１ａ、１１ｂが開いてしまう不具合が生じることがある。
そこで、本発明は上記課題を解決すべくなされたものであり、その目的とするところは、大きな締め付け力を得ることができ、また操作も簡単な締結機構を提供するにある。
【０００４】
【課題を解決するための手段】
本発明にかかる締結機構では、一方の被締結体に設けられた係止部と、他方の被締結体に設けられた支軸と、前記支軸を中心に、前記係止部とは反対側のエリアで回動自在に、一端側において前記支軸に取りつけられた回動アームと、一端側に前記係止部に係止可能なフック部を備え、他端側が前記支軸方向に延びるフックアームと、一端側が該フックアームの他端側に第１のピンにより回動自在に軸着され、他端側が前記回動アームの他端側に第２のピンにより回動自在に軸着されたロックアームと、該ロックアームのストッパと、前記回動アームに設けられたレバー部と、前記一方の被締結体もしくは他方の被締結体に設けられ、前記フックアームの移動をガイドするガイド部とを具備し、前記レバー部を操作して、前記回動アームを前記第２のピンが前記係止部と離れる方向に回動させた際、前記フックアームが前記ロックアームを介して前記ガイド部にガイドされて移動することにより移動中途で前記フック部が自動的に前記係止部に係止して前記係止部と支軸間の締め付けが開始され、さらに前記第２のピンが前記係止部と支軸とを結ぶ延長線上の係止部とは最大距離となる最大締め付け位置を若干越えた位置で前記ロックアームが前記ストッパに当接することにより、前記係止部と支軸間が締め付けられた状態が維持されたまま前記ロックアームの戻りがロックされ、前記レバー部を前記と逆方向に操作して、前記第２のピンが前記最大締め付け位置を越えて前記係止部に接近する方向の初期方向に回動された際、前記フックアームが前記ロックアームを介して前記ガイド部にガイドされて移動することにより自動的に前記フック部が前記係止部から外れることを特徴としている。
【０００５】
前記ガイド部にローラーを用いることができる。
また、前記フックアームの中途部を、前記ガイド部に当接する、フックアームの長さ方向に曲折するカム面に形成し、該フックアームが移動する際、該カム面に規制されて前記フック部が前記係止部に対して接離するように回動させて係止部に係脱するようにすると好適である。
さらに、前記一方および他方の被締結体が、両開き式の扉の一方および他方とし、前記係止部先端部に膨大部を形成することにより、締め付け時、前記フック部が該膨大部に規制されることにより扉が開くのを防止するようにすることができる。
【０００６】
【発明の実施の形態】
以下本発明の好適な実施の形態を添付図面を参照して詳細に説明する。
図１は扉（一方の被締結体）１１ａ、扉（他方の被締結体）１１ｂに締結具２０を取りつけた状態を示す正面図、図２は平面図を示す。
２２は係止ピン（係止部）であり、扉１１ａ側に固定されている。係止ピン２２にはリング２３が嵌められてローラー構造に形成されている。また係止ピン２２の先端部には、ワッシャ（膨大部）２４が溶接等によって固定され、リング２３と後記するフック部との抜け止めがなされる。
【０００７】
２５は支軸であり、扉１１ｂ側に固定されている。支軸２５にもリング２６が嵌められてローラー構造に形成され、また先端部に抜け止め用のワッシャ２７が固定されている。
２８は回動アームである。回動アーム２８は、支軸２５を中心に、係止部２２とは反対側のエリアで回動自在に、一端側において支軸２５に取りつけられている。
３０は、フックアームであり、一端側に係止ピン２２に係止可能なフック部３０ａを備え、他端側が支軸２５方向に延びている。フックアーム３０の中途部は、傾斜部３０ｂ（両端側平行部と鈍角に交わる）が形成されて浅いＺ字状に曲折されている。この曲折部のした下端面がカム面３０ｃ、３０ｄ、３０ｅに形成されている。
【０００８】
３２はロックアームであり、一端側がフックアーム３０の他端側に第１のピン３３により回動自在に軸着され、他端側が回動アーム２８の他端側に第２のピン３４により回動自在に軸着されている。
回動アーム２８にはレバー部３５が設けられている。
次に、３６、３７は、フックアーム３０の中途部を挟んで両側に位置して扉１１ｂに固定されたガイドピン（ガイド部）であり、リングが嵌められることによってローラー構造をなす。このガイドピン３６にフックアーム３０のカム面３０ｃ、３０ｄ、３０ｅが当接して、フックアーム３０の動きが規制される。
両ガイドピン３６、３７の先端にわたって遮蔽板４０が固定されて、リングの抜け止めを図ると共に、フックアーム３０の中途部を覆っている。
なお、ガイドピン３７は必ずしももうけなくともよい。
【０００９】
図１、図２に示す状態は、レバー部３５と共に、回動アーム２８が矢Ａ方向に回動して、係止ピン２２と支軸２５間（したがって、両扉１１ａ、１１ｂ間）が締め付けられている状態だが、レバー部３５を矢Ｂ方向に回動した状態では、フック部３０ａが係止ピン２２から外れた、非締め付け状態にある。
このレバー部３５を矢Ｂ方向に回動した状態では、ロックアーム３２を介してフックアーム３０が図１上左方に移動しており、フック部３０ａが係止ピン２２から外れている。さらに、カム面３０ｅがガイドピン３６に当接、すなわち、フックアーム３０が図１の状態よりも下方に下がっているので、フック部３０ａが係止ピン２２から確実に外れている。
この状態では、扉１１ａ、１１ｂを開放可能である。
【００１０】
上記初期の状態から、レバー部３５を矢Ａ方向に回動操作させ、回動アーム２８を第２のピン３４が係止ピン２２と離れる方向に回動させると、フックアーム３０がロックアーム３２を介して図１上右方に移動する。そして、移動途中でカム面３０ｄおよび３０ｃが順次ガイドピン３６に当接してフックアーム３０が押し上げられるので（第１のピン３３を中心としてフック部３０ａが上方に回動し、係止ピン２２に接近する）、移動中途でフック部３０ａが自動的に係止ピン２２に係止して係止ピン２２と支軸２５間（すなわち両扉１１ａ、１１ｂ間）の締め付けが開始される。
【００１１】
さらに第２のピン３４が係止ピン２２と支軸２５とを結ぶ延長線上の係止ピン２２とは最大距離となる最大締め付け位置を若干越えた位置で、図１に示すように、ロックアーム３２が回動アーム２８の上端面に当接して、レバー部３５のそれ以上の回動が規制される。この位置では、締め付けの反力がレバー部３５を矢Ａ方向に回動させようと作用するが、上記のように、ロックアーム３２が回動アーム２８の上端面に当接してロックされ、係止ピン２２と支軸２５間が締め付けられた状態が維持されたままロックアーム３２の戻りがロックされるのである。上記回動アーム２８の上端面がストッパとなるが、ストッパは別部材として設けてもよい。
【００１２】
このように、本実施の形態では、回動アーム２８からのテコ作用によって係止ピン２２と支軸２５との間が強力に締め付けられることになる。しかも従来のように、スプリングを介在させていないから、締め付け力が経時的に弱くなることもない。レバー部３５の回動操作によりフック部３０ａが自動的に係止ピン２２に係止するので、締め付け操作もいたって簡単である。
さらに、係止ピン２２の先端部にはワッシャ（膨大部）２４が設けられているから、仮にコンテナ内から廃棄物等の圧力がかかっても、フック部３０ａがワッシャ２４により規制されるので、フック部３０ａが係止ピン２２から外れることがない。したがって、両扉１１ａ、１１ｂが開いてしまうことはない。
【００１３】
扉１１ａ、１１ｂを開くときは、レバー部３５矢Ｂ方向に回動操作すればよい。すると、第２のピン３４が前記最大締め付け位置を越えて係止ピン２２に接近する方向の初期方向に回動され、フックアーム３０がロックアーム３２を介してガイドピン３６にガイドされて左方かつ下方に移動することにより（フック部３０ａが第１のピン３３を中心に下方に回動して係止ピン２２から離れる）、自動的にフック部３０ａが係止ピン２２から外れるのである。フックアーム３０は自重によりガイドピン３６に当接して図１上左方かつ下方に移動するので、ガイドピン３７は必ずしも必要ないのであるが、係止具２０を上下逆に取りつけたり、フックアーム３０の長さによっては、フックアーム３０の移動を確実にするため、ガイドピン３７を設けると好適である。
【００１４】
なお、上記では、ガイドピン３６、３７を扉１１ｂ側に設けたが、扉１１ａ側に設けてもよい。
また、第１のピン３３の位置は特に限定されないが、締め付け時、締め付け力による反力が各アームに直線的に作用するように、係止ピン２２と支軸２５とを結ぶ線上もしくはその近傍が好ましい。
さらには、上記では、締結具２０をコンテナの扉の締結具として用いる例で説明したが、これに限定されないことはもちろんである。
【００１５】
【発明の効果】
本発明によれば、回動アームからのテコ作用によって係止部と支軸との間が強力に締め付けられることになる。しかも従来のように、スプリングを介在させていないから、締め付け力が経時的に弱くなることもない。レバー部の回動操作によりフック部が自動的に係止部に係脱するので、操作もいたって簡単である。
さらに、係止部の先端部に膨大部を設けることにより、被締結部側から廃棄物等の圧力がかかっても、フック部が膨大部により規制されるので、フック部が係止部から外れることがなく、両被締結部が開いてしまうことはない。
【図面の簡単な説明】
【図１】締結具の正面図である。
【図２】締結具の平面図である。
【図３】従来のコンテナに用いた締結具の説明図である。成形型の一例を示す断面図で
【図４】従来の締結具の拡大説明図である。
【符号の説明】
２０  締結具
２２  係止ピン（係止部）
２４  ワッシャ（膨大部）
２５  支軸
２８  回動アーム
３０  フックアーム
３０ａ  フック部
３０ｃ、３０ｄ、３０ｅ  カム面
３２  ロックアーム
３３  第１のピン
３４  第２のピン
３５  レバー部
３６  ガイドピン（ガイド部)
【図１】
0004445144.tif 000002
【図２】
0004445144.tif 000003
【図３】
0004445144.tif 000004
【図４】
0004445144.tif 000005